(57)【特許請求の範囲】
【請求項１】
ヒンジ軸を中心にＸ字状に組み合わされた２本のロッドを、ヒンジ軸を中心に畳んで重合可能とされ、２本のロッドがＸ字状に展開されたときには、２本のロッドのヒンジ軸より下方側を脚部とし、ヒンジ軸より上方側に座面部が配置される携帯用椅子であって、
前記２本のロッドは、ヒンジ軸より上方側で一方は他方に比べて短く設定され、該一方のロッドの上端には揺動杆が揺動自在に支持され、
他方のロッドのヒンジ軸より上方側の所定位置と前記揺動杆との間に柔軟性を備えたシートが前記座面部となるように張設され、
前記揺動杆はシートが前記座面部を形成する位置で前記一方のロッドに対してロックされるようにロック装置を備え、
前記２本のロッドが畳まれて重合されたときに、前記揺動杆も揺動されて前記ロッドと共に重合可能とされ、このときシートに隣接する位置のロッド若しくは前記揺動杆にカバー帯が固定され、該カバー帯はシートを覆うように巻回可能とされていることを特徴とする携帯用椅子。
【請求項２】
請求項１において、前記他方のロッドのヒンジ軸より上方側で、且つ前記所定位置より下方側で、他方のロッドの外周上に摺動自在とされたスライダが設けられ、
該スライダと前記一方のロッドのヒンジ軸より上方側部位との間に、前記スライダ及び一方のロッドに対して揺動自在にリンクが設けられ、
前記他方のロッド上で前記所定位置の下方にはストッパが設けられ、
２本のロッドがＸ字状に展開されたとき、リンクの軸心が他方のロッドに対して直交する位置よりも上方側となり、その位置で前記スライダが前記ストッパに当接して、その摺動を阻止されることを特徴とする携帯用椅子。
【請求項３】
請求項２において、前記２本のロッドの重合時には、前記他方のロッドに対する前記リンクの軸線の傾斜方向が、２本のロッドの展開時の傾斜方向に対して反対方向となるように、前記リンクの前記スライダ及び前記上方側部位への取付位置を設定し、前記ヒンジ軸と前記スライダとの間の他方のロッドの外表面上には、前記スライダを上方へ付勢するばねが設けられていることを特徴とする携帯用椅子。
【発明の詳細な説明】
【技術分野】
【０００１】
本発明は、必要に応じてコンパクトに畳むことが可能とされた携帯用椅子に関する。
【背景技術】
【０００２】
下記特許文献１には、携帯用椅子が開示されている。この携帯用椅子は、ヒンジ軸を中心にＸ字状に組み合わされた２本のロッドを、ヒンジ軸を中心に畳んで重合可能とされ、２本のロッドがＸ字状に展開されたときには、ロッドのヒンジ軸より下方を脚部として椅子となるように、ヒンジ軸より上方に座面部が配置されている。２本のロッドは、ヒンジ軸より上方側で一方は他方に比べて短めに設定され、一方のロッドの上端には座面部の一端部が揺動自在に支持され、他方のロッドの軸部に摺動自在とされたスライダに座面部の他端部が揺動自在に支持されて成る。かかる構成により２本のロッドをＸ字状に展開させたときには、座面部は一方のロッドとスライダに支持されて略水平状態とされて着座可能とされ、２本のロッドをヒンジ軸を中心に畳んで重合させたときには、座面部の裏面が他方のロッドに沿うように畳まれることになる。
【先行技術文献】
【特許文献】
【０００３】
【特許文献１】特開２００７−２０９５９０号公報
【発明の概要】
【発明が解決しようとする課題】
【０００４】
上記特許文献１の携帯用椅子は、畳まれた際には、杖として使用されるものであるが、杖として使用される際には、座面部は露出されたままとなるため、座面部がいろいろな物に触れて汚れたり、座面部に塵や埃が付着する可能性がある。
本発明は、このような問題に鑑み、椅子が畳まれた際は座面部が外部に露出しないようにすることにより、座面部に汚れや塵、埃が付着しないようにすることを課題とする。
【課題を解決するための手段】
【０００５】
本発明の第１発明は、ヒンジ軸を中心にＸ字状に組み合わされた２本のロッドを、ヒンジ軸を中心に畳んで重合可能とされ、２本のロッドがＸ字状に展開されたときには、２本のロッドのヒンジ軸より下方側を脚部とし、ヒンジ軸より上方側に座面部が配置される携帯用椅子であって、前記２本のロッドは、ヒンジ軸より上方側で一方は他方に比べて短く設定され、該一方のロッドの上端には揺動杆が揺動自在に支持され、他方のロッドのヒンジ軸より上方側の所定位置と前記揺動杆との間に柔軟性を備えたシートが前記座面部となるように張設され、前記揺動杆は、シートが前記座面部を形成する位置で前記一方のロッドに対してロックされるようにロック装置を備え、前記２本のロッドが畳まれて重合されたときに、前記揺動杆も揺動されて前記ロッドと共に重合可能とされ、このときシートに隣接する位置のロッド若しくは前記揺動杆にカバー帯が固定され、該カバー帯はシートを覆うように巻回可能とされていることを特徴とする携帯用椅子である。
第１発明によれば、２本のロッドが重合され、座面部が畳まれるときには、カバー帯によって座面部が覆われるため、座面部が畳まれている状態で、座面部に汚れや塵、埃が付着しないようにすることができる。
【０００６】
本発明の第２発明は、上記第１発明において、前記他方のロッドのヒンジ軸より上方側で、且つ前記所定位置より下方側で、他方のロッドの外周上に摺動自在とされたスライダが設けられ、該スライダと前記一方のロッドのヒンジ軸より上方側部位との間に、前記スライダ及び一方のロッドに対して揺動自在にリンクが設けられ、前記他方のロッド上で前記所定位置の下方にはストッパが設けられ、２本のロッドがＸ字状に展開されたとき、リンクの軸心が他方のロッドに対して直交する位置よりも上方側となり、その位置で前記スライダが前記ストッパに当接して、その摺動を阻止されることを特徴とする。
第２発明によれば、リンクが２本のロッド間に配置されるため、２本のロッドがＸ字状に展開された状態で、リンクは２本のロッドの展開角度が大小いずれの方向にも変化しないように規制すると共に、リンクはスライダによって他方のロッドに摺動自在とされているため、２本のロッドが畳まれて重合されるときの動きをスムースにすることができる。
【０００７】
本発明の第３発明は、上記第２発明において、前記ロック装置は、前記２本のロッドの展開及び重合に伴う前記リンクの動きを受けてロック状態とアンロック状態とに切り換えられることを特徴とする。
第３発明によれば、２本のロッドを展開してシートが座面部とされるときは、自動的に揺動杆がロックされるため、着座時の座面部を安定した位置に保持することができ、２本のロッドを重合させて座面部を畳むときには、揺動杆のロックが自動的に解除されるため、ロック装置に対する特別な操作なしで揺動杆を揺動させて簡単に椅子を畳むことができる。
【０００８】
本発明の第４発明は、上記第３発明において、前記揺動杆の揺動中心には、揺動杆と一体に回動するドラムが設けられ、該ドラムには、揺動杆が座面部を形成する位置にあるときに、前記一方のロッドのヒンジ軸側に向けられる開口が設けられ、一方、前記一方のロッドには、前記ドラムの外周面に向けて付勢されて前記ドラムの開口に嵌合して前記ドラムの回動及び揺動杆の揺動を阻止するロックピンが設けられ、また、前記２本のロッドが重合されるのに伴う前記リンクの動きによって前記ロックピンをアンロック方向へ移動させる連動機構が設けられていることを特徴とする。
第４発明によれば、２本のロッドが重合されるときには、ロックピンがドラムの開口から外され、それ以外のときには、ロックピンは付勢力によりドラムの外周面上に当接し、揺動杆が座面部を形成する位置に達すると、付勢力によってロックピンが開口に嵌合して揺動杆の揺動をロックするので、ドラムの開口位置を調整しておくのみで、揺動杆が座面部を形成する位置で正確に揺動杆の揺動を停止することができる。
【０００９】
本発明の第５発明は、上記第１乃至第４発明のいずれかにおいて、前記カバー帯は、前記揺動杆に固定され、カバー帯の自由端部、及びカバー帯が畳まれた座面部を覆って巻き付けられているときに前記自由端部が対向する部位に、互いに接合可能なマジックファスナが設けられていることを特徴とする。
第５発明によれば、カバー帯及びその関連部分にマジックファスナが設けられているため、座面部を覆うようにカバー帯を巻き付けて一対のマジックファスナを接合することにより、カバー帯が座面部を覆った状態を安定して維持することができる。
【００１０】
本発明の第６発明は、上記第２乃至第５発明のいずれかにおいて、前記２本のロッドの重合時には、前記他方のロッドに対する前記リンクの軸線の傾斜方向が、２本のロッドの展開時の傾斜方向に対して反対方向となるように、前記リンクの前記スライダ及び前記上方側部位への取付位置を設定し、前記ヒンジ軸と前記スライダとの間の他方のロッドの外表面上には、前記スライダを上方へ付勢するばねが設けられていることを特徴とする。
第６発明によれば、他方のロッドに対するリンクの軸線の傾斜方向が、２本のロッドの重合時には、２本のロッドの展開時の傾斜方向に対して反対方向とされているため、リンクを介して一方のロッドは展開時とは反対方向にばねによる付勢力を受け、椅子を携帯する際に一方のロッドが不用意に展開されることを防止できる。また、リンク及び一方のロッドを介してばねの付勢力はヒンジ部に伝達されるため、椅子を携帯する際にヒンジ部のガタによる異音の発生を抑制することができる。更に、２本のロッドを重合された状態から展開する際は、他方のロッドに対するリンクの軸線の傾斜方向を２本のロッドを展開させる方向に手動により転換させた後は、スライダ及びリンクを介して、ばねの付勢力は２本のロッドをＸ字状に展開させる方向に作用するため、ばねの付勢力が働く範囲では２本のロッドの展開を自動的に行うことができ、展開操作を容易にすることができる。
【００１１】
本発明の第７発明は、上記第２乃至第６発明のいずれかにおいて、前記一方のロッドは、他方のロッドと重合される際に、他方のロッドに面する側が受面とされた樋形状とされると共に、一方のロッドの受面内に他方のロッドを嵌合可能な大きさとされ、前記リンクは、前記２本のロッドと共に重合される際に、他方のロッドに面する側が受面とされた樋形状とされると共に、前記リンクの受面内に他方のロッドを嵌合可能な大きさとされ、かつ一方のロッドの受面内に前記リンクを嵌合可能な大きさとされていることを特徴とする。
第７発明によれば、一方のロッドの受面内に他方のロッドを嵌合可能とされ、一方のロッドの受面内にリンクを嵌合可能とされているため、２本のロッドを重合させる際に、コンパクトに畳むことができる。
【図面の簡単な説明】
【００１２】
【図１】本発明に係る携帯用椅子の一実施形態を示す斜視図（畳まれた状態）である。
【図２】上記実施形態の展開途中の状態を示す側面図である。
【図３】上記実施形態の更なる展開途中の状態を示す側面図である。
【図４】上記実施形態の展開完了の状態を示す斜視図である。
【図５】上記実施形態の展開完了の状態を示す正面図である。
【図６】上記実施形態のロック装置及びその周辺を拡大して示す側面図である。
【図７】上記実施形態のロック装置及びその周辺を拡大して示す正面図である。
【図８】上記実施形態のロック装置の断面説明図である。
【図９】図８と同様の断面説明図であり、リンクが畳まれた状態を示す。
【発明を実施するための形態】
【００１３】
本発明の一実施形態を図面に基づいて説明する。
この実施形態の携帯用椅子は、展開時に椅子となり、畳まれた状態では杖となるように構成されており、図１は畳まれて杖となった状態を示し、図２、３は展開の過程を示し、図４は展開完了し、椅子として使用可能となった状態を示す。
当該椅子は、図２〜４に良く示されるように、ヒンジ軸（ヒンジ部１５、２６）を中心にＸ字状に組み合わされた２本のロッド１０、２０を、ヒンジ軸を中心に畳んで重合可能とされ、２本のロッド１０、２０がＸ字状に展開されたときには、２本のロッド１０、２０のヒンジ軸より下方側を脚部として椅子となるように、ヒンジ軸より上方側に座面部（シート４０）が配置される。ヒンジ軸は、各ロッド１０、２０のヒンジ部１５、２６に設けられている。
２本のロッド１０、２０は、ヒンジ軸より上方側で一方のロッド１０は他方のロッド２０に比べて短く設定され、該一方のロッド１０の上端１１には揺動杆３０が揺動自在に支持されている。また、他方のロッド２０のヒンジ軸より上方側の所定位置（支持部２７）と揺動杆３０との間には柔軟性を備えたシート４０が座面部となるように張設されている。この場合のシート４０は、合成繊維を使用した織物から成る。
【００１４】
シート４０は全体として三角形に縫製され、支持部２７への取り付けは、シート４０の先端が二つ割りにされ、その先端に他方のロッド２０を挟み込んで縛り付けることにより行っている。詳しくは、支持部２７は他方のロッド２０に直交する部材が該ロッド２０に溶接されて成り、この直交部材の上方側でロッド２０にシート４０の先端が縛り付けられている。
また、シート４０の二つ割りにされた先端の反対側は揺動杆３０に固定されている。詳しくは、揺動杆３０はパイプから成り、このパイプ内には棒状体（不図示）が挿入されており、一方、パイプにはシート４０の大きさに応じた長さのスリット（不図示）が形成されている。スリットは棒状体の太さより細く形成されている。シート４０は、スリットを通って棒状体に巻き付け固定されることにより揺動杆３０に固定されている。
【００１５】
揺動杆３０は、シート４０が座面部を形成する位置で一方のロッド１０に対してロックされるようにロック装置８０を備える。２本のロッド１０、２０が畳まれて重合されたときに、揺動杆３０も揺動されて各ロッド１０，２０と共に重合可能とされている。揺動杆３０にはカバー帯７０が固定され、２本のロッド１０、２０が畳まれて重合されたとき、カバー帯７０はシート４０を覆うように巻回可能とされている。
この実施形態の場合、カバー帯７０は、シート４０と連続する一枚の織物によって形成されており、上記のように揺動杆３０のパイプ内で棒状体に巻き付けられた先に延びている。このため、スリットを通して揺動杆３０のパイプ内にはシート４０とカバー帯７０の各固定端が挿入されている。
このように、２本のロッド１０，２０が重合され、座面部を成すシート４０が畳まれるときには、図１に示されるように、カバー帯７０によってシート４０が覆われるため、シート４０が畳まれている状態で、シート４０に汚れや塵、埃が付着しないようにすることができる。カバー帯７０は、シート４０と共に２本のロッド１０、２０の上下部を除く中央部を広く覆う大きさとされるため、一方のロッド１０の上端部にある揺動杆３０やロック装置８０など構成が比較的複雑な金具部分を覆うことができ、杖として使用する際の見栄えを良くすることができる。
図１が、カバー帯７０でシート４０を覆った状態を示しており、この状態で杖として使用される。図中、９９は杖として使用する際の把手部であり、９８はストラップである。
【００１６】
他方のロッド２０のヒンジ部２６より上方側で、且つシート４０の支持部２７より下方側で、他方のロッド２０の外周上にはスライダ５０が摺動自在に設けられている。そして、スライダ５０と一方のロッド１０のヒンジ部１５より上方側部位（リンク６０のヒンジ軸）１２との間には、スライダ５０及び一方のロッド１０に対して揺動自在にリンク６０が設けられている。
他方のロッド２０上で支持部２７の下方にはストッパ２４が設けられ、２本のロッド１０，２０がＸ字状に展開されたとき、リンク６０の軸心が他方のロッド２０に対して直交する位置よりも僅かに上方側となり、その位置でスライダ５０がストッパ２４に当接して、スライダ５０の摺動が阻止される。このように構成されているため、２本のロッド１０，２０がＸ字状に展開された状態でシート４０に着座すると、着座者の体重を受けて２本のロッド１０，２０間には互いに重合させる方向の力が作用するが、この力はリンク６０、スライダ５０を介してストッパ２４で受け止められ、２本のロッド１０，２０は展開された状態に維持される。
このように、リンク６０が２本のロッド１０，２０間に配置されるため、２本のロッド１０，２０がＸ字状に展開された状態で、リンク６０は２本のロッド１０，２０の展開角度が大小いずれの方向にも変化しないように規制すると共に、リンク６０はスライダ５０によって他方のロッド２０に摺動自在とされているため、２本のロッド１０，２０が畳まれて重合されるときの動きをスムースにすることができる。
【００１７】
図２〜３において、５１はスライダ５０の上端部に溶接にて固定された操作部であり、スライダ５０を図３の状態から上方へ操作する場合、並びにスライダ５０を図４の状態から下方へ操作する場合に、操作を容易にするように設けられている。
また、図示を省略したが、操作部５１の下方側には、他方のロッド２０の外周面上でスライダ５０が回転するのを防止するために回転止部が設けられている。かかる回転止部は、操作部５１の下方側のスライダ５０にロッド２０の軸方向にスリットが設けられ、このスリットに嵌合するようにロッド２０の表面に突起が設けられて成る。なお、スライダ５０に設けられたスリットはスライダ５０の上下端で閉じられて、スライダ５０がスリットによって開いてしまうことがないようにされている。
【００１８】
また、ロック装置８０は、２本のロッド１０，２０の展開及び重合に伴うリンク６０の動きを受けてロック状態とアンロック状態とに切り換えられる。
図７に良く示されるように、揺動杆３０の揺動中心には、揺動杆３０と一体に回動するドラム８１が設けられ、該ドラム８１には、揺動杆３０が座面部を形成する位置にあるときに、一方のロッド１０のヒンジ部１５側に向けられる開口８３（図２参照）が設けられている。一方、図８に良く示されるように、一方のロッド１０には、ドラム８１の外周面に向けて付勢されてドラム８１の開口８３に嵌合してドラム８１の回動及び揺動杆３０の揺動を阻止するロックピン８５が設けられている。図７中、８２は一方のロッド１０の上端１１に対してドラム８１を回動自在に固定するためのビスである。
また、２本のロッド１０，２０が重合されるのに伴うリンク６０の動きによってロックピン８５をアンロック方向へ移動させる連動機構が設けられている。かかる連動機構は、リンク６０のヒンジ軸１２に隣接して一方のロッド１０側に設けられた凸部６１と、凸部６１に押圧されて移動するカム体８９と、ロックピン８５の胴体中央部にカム体８９を受け入れるように穿孔して形成された傾斜面部８７とから成る。
図８中、８４はロックピン８５を収容するケース、８８はカム体８９が貫通するようにケース８４に形成された貫通孔、９０はカム体８９のケース８４からの突出端に設けられ、カム体８９がケース８４を貫通した状態から脱落しないように維持するための係止片、９１はケース８４に対してロックピン８５をドラム８１の外周面方向へ付勢するためのばね、９２はケース８４におけるロックピン８５の突出側とは反対側を閉塞すると共に、ばね９１の反ロックピン８５側を支持する栓、８６はドラム８１の開口８３に嵌合されるロックピン８５の先端部である。
【００１９】
このように構成されているため、２本のロッド１０、２０を展開してシート４０が座面部とされるときは、自動的に揺動杆３０がロックされ、着座時の座面部を安定した位置に保持することができる。また、２本のロッド１０、２０を重合させて座面部を畳むときには、揺動杆３０のロックが自動的に解除されるため、ロック装置８０に対する特別な操作なしで揺動杆３０を揺動させて簡単に椅子を畳むことができる。
具体的には、図８のように、２本のロッド１０、２０が展開され、一方のロッド１０に対するリンク６０の相対角度が大きくなると、それ以前は凸部６１に押圧されていたカム体８９が押圧されなくなるため、カム体８９は、ケース８４及びロックピン８５を貫通している状態から離脱する方向へ移動する。このため、カム体８９のカム面に沿ってロックピン８５がばね９１の付勢力によってドラム８１の外周部に当接するように移動する。この状態で、揺動杆３０が略水平となり、ドラム８１の開口８３が一方のロッド１０のヒンジ部１５の方向へ向くと、ロックピン８５の先端部８６が開口８３に嵌合し、揺動杆３０がロックされる。
反対に、図９のように、２本のロッド１０、２０を互いに重合させるように畳むと、リンク６０も同時に畳まれて、一方のロッド１０と重合するようになる。このため、リンク６０の凸部６１がカム体８９を押圧し、カム体８９はロックピン８５及びケース８４を貫通する方向へ移動し、そのカム面によりロックピン８５をばね９１による付勢力に抗してケース８４内に収納するように移動させる。そのため、ロックピン８５の先端部８６はドラム８１の開口８３から外れ、ドラム８１は自由に回動できるようになる。従って、揺動杆３０も揺動可能となる。
このように２本のロッド１０、２０が重合されるときには、ロックピン８５がドラム８１の開口８３から外され、それ以外のときには、ロックピン８５はばね９１の付勢力によりドラム８１の外周面上に当接し、揺動杆３０が座面部を形成する位置に達すると、付勢力によってロックピン８５の先端８６が開口８３に嵌合して揺動杆３０の揺動をロックするので、ドラム８１の開口８３の位置を調整しておくのみで、揺動杆３０が座面部を形成する位置で正確に揺動杆３０の揺動を停止することができる。
【００２０】
カバー帯７０は、揺動杆３０に固定され、図５に良く示されるように、カバー帯７０の自由端部７５には端部に沿ってマジックファスナ７１、７２が縫合され、また、図７に良く示されるように、カバー帯７０が畳まれた座面部を覆って巻き付けられているときに自由端部７５が対向する部位となる揺動杆３０に、上記マジックファスナ７１、７２に接合可能なマジックファスナ７３、７４が設けられている。
カバー帯７０及び揺動杆３０にマジックファスナ７１、７２及びマジックファスナ７３、７４が設けられているため、座面部を覆うようにカバー帯７０を巻き付けて一対のマジックファスナ７１、７２及び７３、７４を接合することにより、カバー帯７０が座面部を覆った状態を安定して維持することができる。
【００２１】
図からは明らかではないが、２本のロッド１０、２０の重合時には、他方のロッド２０に対するリンク６０の軸線の傾斜方向が、２本のロッド１０、２０の展開時の傾斜方向に対して反対方向となるように、リンク６０のスライダ５０及びヒンジ軸（上方側部位）１２への取付位置を設定している。また、図１〜４に示されるように、他方のロッド２０の外周面上で、ヒンジ部２６とスライダ５０との間には、スライダ５０を上方へ付勢するばね２２が設けられている。
この結果、他方のロッド２０に対するリンク６０の軸線の傾斜方向が、２本のロッド１０、２０の重合時には、２本のロッド１０、２０の展開時の傾斜方向に対して反対方向とされているため、リンク６０を介して一方のロッド１０は展開時とは反対方向にばね２２による付勢力を受け、椅子を携帯する際に一方のロッド１０が不用意に展開されることを防止できる。また、リンク６０及び一方のロッド１０を介してばね２２の付勢力はヒンジ部１５に伝達されるため、椅子を携帯する際にヒンジ部１５のガタによる異音の発生を抑制することができる。更に、２本のロッド１０、２０を重合された状態から展開する際は、他方のロッド２０に対するリンク６０の軸線の傾斜方向を２本のロッド１０、２０を展開させる方向に手動により転換させた後は、スライダ５０及びリンク６０を介して、ばね２２の付勢力は２本のロッド１０、２０をＸ字状に展開させる方向に作用するため、ばね２２の付勢力が働く範囲では２本のロッド１０、２０の展開を自動的に行うことができ、展開操作を容易にすることができる。
【００２２】
各図から明らかなように、一方のロッド１０は、他方のロッド２０と重合される際に、他方のロッド２０に面する側が受面とされた樋形状とされると共に、一方のロッド１０の受面内に他方のロッド２０を嵌合可能な大きさとされている。また、リンク６０は、前記２本のロッド１０、２０と共に重合される際に、他方のロッド２０に面する側が受面とされた樋形状とされると共に、リンク６０の受面内に他方のロッド２０を嵌合可能な大きさとされ、かつ一方のロッド１０の受面内にリンク６０を嵌合可能な大きさとされている。
このように、一方のロッド１０の受面内に他方のロッド２０を嵌合可能とされ、一方のロッド１０の受面内にリンク６０を嵌合可能とされているため、２本のロッド１０、２０を重合させる際に、コンパクトに畳むことができる。
なお、樋形状とされた一方のロッド１０には、樋形状を成す円弧断面に沿って補強リブが設けられている。
【００２３】
図２〜４に示されるように、２本のロッド１０、２０の各ヒンジ部１５、２６より下方側には、２本のロッド１０、２０間にワイヤ１６が張設されている。即ち、ワイヤ１６の一端は、樋形状の一方のロッド１０の受面内に固定され、他端は円柱状の他方のロッド２０の内部に固定されている。このようにワイヤ１６が設けられていることにより、シート４０上に大きな荷重が加えられて、両ロッド１０、２０の各ヒンジ部１５、２６より下方側の脚部が開かれる力を受けたとき、その力の一部をワイヤ１６に分担させ、ロッド１０、２０が変形するのを防止している。
２本のロッド１０、２０が重合されて畳まれるとき、ワイヤ１６は湾曲変形することにより２本のロッド１０、２０間に挟持される。
【００２４】
図１〜５において、２５は他方のロッド２０の下端に設けられた緩衝ゴム体、１４は一方のロッド１０の下端に設けられた支持脚部、１３、１３は支持脚部１４の両端に設けられた緩衝ゴム体である。このように２本のロッド１０、２０の下端に緩衝ゴム体２５、１３、１３が設けられているため、図４のように２本のロッド１０、２０が展開されて椅子として使用される際に脚部の３点支持が実現され、椅子が倒れないように支えなくても着座することができる。
【００２５】
本発明は、上記実施形態で説明した外観、構成に限定されず、本発明の要旨を変更しない範囲で種々の変更、追加、削除が可能である。例えば、
１．カバー帯は、一方又は他方のロッドにおける他方又は一方のロッドから遠い側の面に固定しても良い。
２．一対のマジックファスナは、共にカバー帯上に設けられても良い。
３．シートは、織物に限らず、樹脂、金属、紙など各種材料のものが適用可能である。
【符号の説明】
【００２６】
１０    一方のロッド
１２    ヒンジ軸（上方側部位）
１５    一方のロッドのヒンジ部
２０    他方のロッド
２２    ばね
２４    ストッパ
２６    他方のロッドのヒンジ部
２７    支持部（所定位置）
３０    揺動杆
４０    シート
５０    スライダ
６０    リンク
６１    凸部（連動機構）
７０    カバー帯
７１、７２、７３、７４    マジックファスナ
８０    ロック装置
８１    ドラム
８３    開口
８５    ロックピン
８７    傾斜面部（連動機構）
８９    カム体（連動機構）
９１    ばね
９２    栓
【図１】
0005755496.tif 000002
【図２】
0005755496.tif 000003
【図３】
0005755496.tif 000004
【図４】
0005755496.tif 000005
【図５】
0005755496.tif 000006
【図６】
0005755496.tif 000007
【図７】
0005755496.tif 000008
【図８】
0005755496.tif 000009
【図９】
0005755496.tif 000010